(57)【特許請求の範囲】
【請求項１】
各別または同時に作動できる加熱器と送風機を組み込んだ複数のドライヤ機構を頭部周囲に配置させたヘッドに、複数のミスト噴霧装置をドライヤ機構と干渉しないように取り付けるとともに該ヘッドにミスト噴霧装置にミストを供給するミスト発生装置を設けたことを特徴とするヘアドライヤ装置。
【請求項２】
ミスト噴霧装置に液垂れ防止機構が設けられている請求項１に記載のヘアドライヤ装置。
【請求項３】
ミスト噴霧装置の液垂れ防止機構がやや上向きに配置した噴霧ノズル部、または、噴霧ノズル部の先端内周縁に設けた環状の堰、または、噴霧ノズル部の外周に巻装したヒータ、または、噴霧ノズル部の外周に噴霧口より先端を張出させて嵌着した吸水体、または、これらを適宜複数組み合わせたものである請求項２に記載のヘアドライヤ装置。
【請求項４】
ミスト噴霧装置の噴霧ノズル部の先端縁を鋭角状とした請求項1から３のいずれかに記載のへアドライヤ装置。
【請求項５】
ミスト噴霧装置が頭部両側方に配置される左右のドライヤ機構および頭部の後方に配置される後部のドライヤ機構に組み込まれ、加熱器と送風機およびミスト噴霧装置が各別または同時または任意の二つを組み合わせて作動させる請求項１から４のいずれかに記載のへアドライヤ装置。
【請求項６】
ミスト噴霧装置が噴霧角度を調整自在とした請求項１から４のいずれかに記載のへアドライヤ装置。
【請求項７】
ミスト噴霧装置の噴霧ノズル部が液受けケースに収納されている請求項６に記載のへアドライヤ装置。
【請求項８】
ミスト発生装置が蒸気発生機構とミスト発生機構とからなるものである請求項１から７のいずれかに記載のへアドライヤ装置。
【請求項９】
ミスト発生装置のミスト送出管が開閉弁付きの分岐部を介して分岐される請求項１から８のいずれかに記載のへアドライヤ装置。
【請求項１０】
分岐された各ミスト送出管に結露タンクが接続されている請求項９に記載のへアドライヤ装置。
【請求項１１】
各結露タンクに複数の接続口が形成されている請求項１０に記載のへアドライヤ装置。
【請求項１２】
ヘッドがワゴンまたはキャスタ付きスタンドまたは可動アームに取り付けられるものである請求項１から１１のいずれかに記載のヘアドライヤ装置。
【発明の詳細な説明】
【０００１】
【発明の属する技術分野】
本発明は美容院や理容院で使用するヘアドライヤ装置に関するものである。
【０００２】
【従来の技術】
従来、美容院や理容院で用いられる大型のヘアドライヤ装置としては、スタンドに加熱ヒータと送風機を組み込んだヘッドを取り付けたものや、加熱ヒータと送風機を組み込んだヘッドを頭部を被套するボンネット型としたものや、加熱ヒータと送風機を組み込んだ複数のヘッドを可動自在としたものが知られている。しかし、これらのヘアドライヤ装置はヘアダイやパーマ時における薬剤の促進や、髪の乾燥を行うことを主たる目的としていた。ところが、ヘアダイやパーマあるいはヘアカラー等を行なう際には、ミストを噴霧する理美容装置が必要になるため、前記のような施術を行う際にはヘアドライヤ装置とミスト噴霧用の理美容装置を併用しなければならず、各装置を取り替えて施術を行う必要があり、施術者にとって取り扱いが厄介になるうえに、装置を複数を所有しなければ他の施術者の施術を邪魔するという問題が生じた。しかも、複数のヘアドライヤ装置と理美容装置を設備すると場所取るうえに、購入費用も嵩みランニングコストの上昇を招くという問題があった。このため、ミストを噴霧できる理美容装置の機能をもつヘアドライヤ装置の開発が要望されていた。
【０００３】
【発明が解決しようとする課題】
本発明はミスト噴霧装置を取り付けて多様な施術に対応できるヘアドライヤ装置を提供することを目的とするものである。
【０００４】
【課題を解決するための手段】
前述の目的を達成するため本発明は、各別または同時に作動できる加熱器と送風機を組み込んだ複数のドライヤ機構を頭部周囲に配置させたヘッドに、複数のミスト噴霧装置をドライヤ機構と干渉しないように取り付けるとともに該ヘッドにミスト噴霧装置にミストを供給するミスト発生装置を設けたヘアドライヤ装置を請求項１の発明とし、請求項１の発明において、ミスト噴霧装置に液垂れ防止機構が設けられているヘアドライヤ装置を請求項２の発明とし、請求項２の発明においてミスト噴霧装置の液垂れ防止機構がやや上向きに配置した噴霧ノズル部、または、噴霧ノズル部の先端内周縁に設けた環状の堰、または、噴霧ノズル部の外周に巻装したヒータ、または、噴霧ノズル部の外周に噴霧口より先端を張出させて嵌着した吸水体、または、これらを適宜複数組み合わせたものであるヘアドライヤ装置を請求項３の発明とし、請求項1から３の発明において、ミスト噴霧装置の噴霧ノズル部の先端縁を鋭角状としたへアドライヤ装置を請求項４の発明とし、請求項１から４の発明において、ミスト噴霧装置が頭部両側方に配置される左右のドライヤ機構および頭部の後方に配置される後部のドライヤ機構に組み込まれ、加熱器と送風機およびミスト噴霧装置が各別または同時または任意の二つを組み合わせて作動させるへアドライヤ装置を請求項５の発明とし、請求項１から４の発明において、ミスト噴霧装置が噴霧角度を調整自在としたへアドライヤ装置を請求項６の発明とし、請求項６の発明において、ミスト噴霧装置の噴霧ノズル部が液受けケースに収納されているへアドライヤ装置を請求項７の発明とし、請求項１から７の発明において、ミスト発生装置が蒸気発生機構とミスト発生機構とからなるものであるへアドライヤ装置を請求項８の発明とし、請求項１から８の発明において、ミスト発生装置のミスト送出管が開閉弁付きの分岐部を介して分岐されるへアドライヤ装置を請求項９の発明とし、請求項９の発明において、分岐された各ミスト送出管に結露タンクが接続されているへアドライヤ装置を請求項１０の発明とし、請求項１０の発明において、各結露タンクに複数の接続口が形成されているへアドライヤ装置を請求項１１の発明とし、請求項１から１１の発明において、ヘッドがワゴンまたはキャスタ付きスタンドまたは可動アームに取り付けられるものであるヘアドライヤ装置を請求項１２の発明とするものである。
【０００５】
【発明の実施の形態】
次に、本発明の好ましい実施の形態を図に基づいて詳細に説明する。
図１〜１４において、１は複数のドライヤ機構２およびミスト噴霧装置３を設けたヘッドであり、該ヘッド１は図１〜５に示されるようなワゴン３０や図示しないキャスタ付きスタンドに取り付けられたり、図６〜１１に示されるように壁や天井に取り付けられた可動アーム４０に取り付けたり、図１２〜１４に示されるように、天井と床間に取り付けられた固定スタンド５０に取り付けられた可動アーム４０に取り付けられて移動や可動自在なものとしている。また、頭部周囲に配置されるヘッド１のドライヤ機構２は、図１〜１４に示されるように、頭部両側方に配置される左右２個のドライヤ機構２と、頭部上方に円弧状に配置される上方２個のドライヤ機構２と、頭部後方に配置される後部２個のドライヤ機構２とからなるものである。
【０００６】
また、前記ドライヤ機構２は防護網２ａ取り外した図１５、１６に示されるように、遠赤外線を照射する加熱器４と送風機５とが組み合わされ、該加熱器４と送風機５とを各別または同時に作動させるようにしたもので、加熱器４のみを作動させてパーマやヘアダイを行う際に薬液の反応促進を行なったり、遠赤外線により頭皮や髪の細胞の代謝機能を活性化させたり、髪の乾燥を行うものである。また、送風機５のみを作動させて髪の表面の水分のみを乾燥させて髪の艶出しを行なったり、加熱器４と送風機５とを同時に作動させて、素早い乾燥を行なったりするものである。図１５〜１８において、４ａは加熱器４の遠赤外線ヒータ、４ｂは遠赤外線ヒータ４ａの背面を覆う略弧状の反射板である。５ａは送風機５のファンである。４ｃは遠赤外線ヒータ４ａを保持するヒータ止め碍子である。また、前記防護網２ａは加熱器４の遠赤外線ヒータ４ａに誤って触れることがないようにするためのものである。２ｂはドライヤ機構２の背面に形成される送風空気吸引用のスリット状吸気孔である。
【０００７】
また、前記ミスト噴霧装置３はヘッド1に内蔵されたミスト発生装置６から供給されるミストを噴霧するものであり、該ミスト噴霧装置３は図１に示されるものにおいては、左右のドライヤ装置２と後部のドライヤ機構２に噴霧ノズル部３ａを配置させたものである。該噴霧ノズル部３ａは遠赤外線ヒータ４ａとファン５ａの中心に配置され、その噴霧口３ｂ先端は遠赤外線ヒータ４ａやファン５ａの前方に位置させてミスト噴霧装置３がドライヤ機構２と干渉することがないようにしている。２９はミスト噴霧装置３に設けられる液垂れ防止機構であり、該液垂れ防止機構２９としては、噴霧ノズル部３ａを若干上向きに配置して、噴霧口３ｂから結露水が垂れ落ちないようにしたり、図１９に拡大して示すように、噴霧口３ｂの内周縁に環状の堰２９ａを形成して結露水が垂れ落ちないようにするとともに、噴霧ノズル部３ａの周囲にヒータ２９ｂを巻装して結露水を蒸発乾燥させるようにしたり、図２０に示されるように、噴霧ノズル部３ａの外周に噴霧口３ｂより先端を張出させて嵌着した吸水体２９ｃにより結露水を吸収させて液垂れを防止している。該吸水体２９ｃの外側は外筒２９ｄにより被套されている。そして、外筒２９ｄの先端に内鍔を形成して吸水体２９ｃの外周先端縁を係止させたものとすることにより、吸水体２９ｃの脱落を防止できるうえに、内鍔に付着して垂れる結露水を吸水体２９ｃの先端縁から吸水させることができる。また、吸水体２９ｃは外筒２９ｄと一体に噴霧ノズル部３ａから取り外しができるものとなっており、吸水体２９ｃの吸水が限界に達したら、吸水体２９ｃと外筒２９ｄを外して使い捨て式の吸水体２９ｃを交換するか、ウレタン樹脂よりなる吸水体２９ｃを絞ったうえ再び噴霧ノズル部３ａに装着してもよい。さらに、図示したように外筒２９ｄに水分蒸発用の透孔２９ｅを形成したものとすれば、透孔２９ｅから水分を蒸発させることができるので、吸水限界時間が延長されて長時間使用することができる。また、噴霧ノズル部３ａの先端縁３ｃを外広がりに傾斜させた鋭角状として、先端縁３ｃに付着した結露水が大きく成長することがないようにしている。さらに、上向きの噴霧ノズル部３ａや堰２９ａ、ヒータ２９ｂ、吸水体２９ｃ等の液垂れ防止機構２９は使用状況に応じてこれらを単独または適宜複数組み合せて確実に液垂れを防止するものとする。
【０００８】
また、図２、３に示されるミスト噴霧装置３は、後部のドライヤ機構２を囲むヘッド１の上下左右に固定式の噴霧ノズル部３ａを配置したものであり、該各噴霧ノズル部３ａは頭部に向かうよう角度調整されているが、上側左右の噴霧ノズル部３ａはノズルを下方に向けなければならないず、噴霧ノズル部３ａを上向きにすることができないので、図１９、２０に示されるようなヒータ２９ｂや水吸収材２９ｃ等の液垂れ防止機構２９を設ける必要がある。また、図４、５に示されるミスト噴霧装置３は、後部のドライヤ機構２を囲むヘッド１の上側左右に噴霧ノズル部３ａを可動自在に配置し、ヘッド１の下側左右に固定式の噴霧ノズル部３ａを配置したものである。
【０００９】
前記可動式のミスト噴霧装置３は、図２１、２２に示されるように、正逆回動自在な減速機付モータ7と、該減速機付モータ7の回動軸7ａと、該回動軸7ａに取り付けられる左右の噴霧ノズル部３ａと、該各噴霧ノズル部３ａを回動自在に収納する液受けケース8とからなるものであり、液受けケース8は噴霧ノズル部３ａから垂れ落ちる結露水を受けるもので、噴霧ノズル部３ａが収納される部分は噴霧ノズル部３ａが回動できる断面円筒形としている。また、噴霧ノズル部３ａは仰角１５°、俯角１５°すなわち、３０°の角度範囲で回動できるようになっている。また、液受けケース8は噴霧ノズル部３ａの回動範囲内前方を開口部８ａとしている。さらに、液受けケース８の下面には液受けケース８の下部に溜まる結露水を排出するドレン管8ｂが接続されている。
【００１０】
また、前記ミスト発生装置６は、ヘッド１内に内蔵されるもので、図２３、２４に示されるように、蒸気発生機構９とミスト発生機構１０とからなるものである。蒸気発生機構９は蒸気窯９ａと、該蒸気窯９ａ内に供給される水中に浸漬されるシーズヒータ９ｂとよりなる。また、ミスト発生機構１０は水タンク１１と、該水タンク１１の底部に水に接触させて配置させた超音波振動子１２と、規定水量以下となったときを報知するためのフロートスイッチ１３と、水タンク１１に水を供給するための着脱自在な給水タンク１４と、超音波振動子１２により発生したミストを送出させる送風ファン１５とからなるものである。給水タンク１４の給水ノズル１４ａは先端が閉塞され、給水水位レベル位置の側壁に通水孔を透設することにより、常に、水位を一定に維持できるものとしている。また、１１ａは先端を水中に位置させた水タンク１１の隔壁であり、該隔壁１１ａは給水タンク１４が設けられた給水タンク部と超音波振動子１２を設けたミスト発生タンク部とを区画し、ミスト発生タンク部で発生されたミストが給水タンク部に流入しないようにするためのものである。１１ｂは先端を水面から若干離れた位置に配置させた区画板であり、該区画板１１ｂはミスト発生タンク部をミスト発生部と送風部とに区画し、ミストが送風空気により確実に送出されるようにしたものである。
【００１１】
１６はミストと蒸気を混合する混合器であり、該混合器１６の側壁にはミスト発生機構１０のミスト供給管１０ａと、蒸気発生機構９の蒸気供給管９ｃとが接続されている。蒸気供給管９ｃはミスト供給管１０ａより上方に接続されるとともに、その先端をミスト供給管１０ａより混合器１６内深くに張出させたものとして、蒸気がミスト供給管１０ａ内に逆流することがないようにしている。
【００１２】
１７はミスト発生装置６のミスト送出管１８を分岐させる分岐部であり、該分岐部１７は図２３に示されるように、Ｔ字継ぎ手１７ａを用いる場合と、図２４に示されるように、分岐されたミスト送出管１８の開口を開閉する開閉弁１８ａ、１８ｂを設けた分岐部１７ｂを用いる場合がある。これは温ミストをミスト噴霧装置３と後記する外部接続口２２の双方に供給すると供給不足が発生するために交互にオンオフして切り替えるようにしたものである。１９ａは分岐された一方のミスト送出管１８の終端に接続される結露タンクであり、１９ｂは他方の分岐されたミスト送出管１８の終端に接続される結露タンクであり、該結露タンク１９ａ、１９ｂには複数の接続口２０ａ、２０ｂが形成されている。該接続口２０ａは図２３、２４に示されるように、接続管を介してワゴン３０あるいはヘッド１に設けられた外部接続口２２と接続されている。また、接続口２０ｂは図２４に示されるように、ドライヤ機構２に設けられたミスト噴霧装置３と接続される。図２３に示される接続口２０ｂはヘッド１に取り付けられる固定式あるいは可動式のミスト噴霧装置３の噴霧ノズル部３ａと接続される。また、分岐部１７と混合器１６とを接続する接続管には、イオン発生装置２３とサーミスタ２４が設けられている。イオン発生装置２３は接続管を通過する温ミスト中に含まれる薬剤臭等をイオンにより分解して温ミストの脱臭を行ない、サーミスタ２４は温ミストの温度に基いて、蒸気とミストの混合率、すなわち送風ファン１５の回転数を調整してミストの供給量を変えて温ミストを所定温度に設定するためのものである。
【００１３】
２５は結露タンク１９ａの底部に設けられる結露水排出用のドレン管であり、該ドレン管２５には開閉弁２５ａが設けらおり、フローとスイッチ２５ｂが満水を検知すると開閉弁２５ａを開放して結露水を排出するものである。２６は結露タンク１９ｂの底部に設けられる結露水排出用のドレン管であり、該ドレン管２６は前記した蒸気発生機構９とミスト発生機構１０と混合器１６のドレン管９ｄ、１０ｂ、１６ａと接続されている。２７は前記ドレン管９ｄ、１０ｂ、１６ａを集合した集合ドレン管であり、該ドレン管２７には排水ドレン弁２７ａが取り付けられている。２８は外部接続口２２にミストホースを介して接続されるヘアキャップである。
【００１４】
また、前記図６〜１１に示される、壁や天井に取り付けられる可動アーム４０は、壁や天井に固定されるブラケット４１にアーム４２を水平回動自在に軸支させるとともに、該アーム４２の先端に伸縮アーム４３の基端を水平回動自在に軸支したものである。そして、前記伸縮アーム４３の先端にヘッド１を固定したものとしている。また、図１２〜１４に示される、天井と床に取り付けられた固定スタンド５０は、アジャスタ機構をもって天井と床間に圧着させて立設されるものであり、該固定スタンド５０に可動アーム４０のブラケット４１が取り付けられるもので、該ブラケット４１に前記と同様、アーム４２を水平回動自在に軸支させるとともに、該アーム４２の先端に伸縮アーム４３の基端を水平回動自在に軸支したものである。このように可動アーム４０にヘッド１を取り付けたものとすることにより、ワゴン３０のように床面を占有することがないので、施術者の移動を邪魔することがないうえに、被施術者の頭部位置にヘッドを位置決めさせることができる。
【００１５】
このように構成されたものは、先ず、使用環境や条件に合わせてヘッド１を可動アーム４０に取り付けたものを使用するか、ワゴン３０あるいは図示しないキャスタ付きスタンドにヘッド１を取り付けたものを使用する。または両者を併用するものとしてもよい。そして、使用にあたっては、施術者は複数のドライヤ機構２が被施術者の頭部の左右、上方、後方に位置決めできるようにヘッド１を移動または可動させる。
【００１６】
そして、濡れた髪を乾燥させる場合は、左右２個、上方２個、後方２個のドライヤ機構２の遠赤外線ヒータよりなる加熱器４をオンとするとともに、送風機５をオンとして遠赤外線による加熱を行ないながら送風することにより、頭部全体に対して加熱と送風が行われるので極めて効率よく髪の乾燥を行なうことができる。このとき、遠赤外線ヒータよりなる加熱器４による遠赤外線効果により、頭皮や毛髪の代謝を活発化して傷んだ髪や頭皮を整えることができる。
【００１７】
また、薬液を用いたパーマあるいはブローセットの際、図１に示されるような、左右および後方のドライヤ機構２に設けたミスト噴霧装置３あるいは図２〜５に示されるような、ドライヤ機構２とは別設のヘッド１に取り付けた固定または可動のミスト噴霧装置３を作動させて毛髪に温ミストを噴霧すれば、温ミストは毛髪内に浸透して還元アルカリにより失われる水分を補うとともに、薬液の活性化を促進することとなる。また、ブローセットの場合は、ブローセットを行なう前に、ミスト噴霧装置３の噴霧口３ｂから温ミストを噴霧させて、水分を毛髪内に浸透させて、ブローの高温から髪を守り、乾燥し過ぎを防止することができる。図１のように、ドライヤ機構２に設けた、ミスト噴霧装置３は図１７、１８に示されるように、加熱器４と送風機５の中心に噴霧ノズル部３ａが配置されるので、加熱器４がミスト流に干渉されることがない。また、送風機５と温ミストの噴霧を同時に行なえば、温ミストをより強く噴霧することができる。
【００１８】
また、必要に応じて、ミスト噴霧装置３とドライヤ機構２を併用することにより、１台のドライヤ装置により種々のヘア処理に対応させることができる。また、ミスト噴霧装置３により、温ミストを毛髪に噴霧する際、噴霧ノズル部３ａ内に付着する結露水は上向きに配置した噴霧ノズル部３ａや、噴霧口３ｂの内周縁に形成した環状の堰２９ａや、噴霧ノズル部３ａの周囲に巻装したヒータ２９ｂや、噴霧ノズル部３ａの外周に噴霧口３ｂより先端を張出させて嵌着した吸水体２９ｃ、あるいはこれらを組み合せた液垂れ防止機構２９により、結露水の垂れは確実に防止されるので、被施術者に結露水が垂れることがなく、不快感を与えることがない。
【００１９】
また、図２１、２２に示されるように、可動式のミスト噴霧装置３は減速機付モータ7を作動させて、噴霧ノズル部３ａを揺動させながら温ミストを噴霧させることにより、温ミストを頭部上面全体に均一に噴霧でき、毛髪にミストを均一に浸透させることができる。このように噴霧ノズル部３ａを揺動させた場合、噴霧ノズル部３ａが俯角となったとき、噴霧ノズル部３ａ内に付着した結露水は垂れ落ちることとなるが、噴霧ノズル部３ａは噴霧用の開口部８ａを設けた液受けケース８内に収納されているので、噴霧ノズル部３ａより垂れ落ちた結露水は液受けケース８内に滴下して受けられるので、被施術者の顔等に垂れ落ちることがない。そして、液受けケース８内に受けられた結露水はドレン管8ｂから排出される。
【００２０】
また、前記温ミストの噴霧は、ミスト発生装置３の蒸気発生機構９を作動させて蒸気釜９ａ内の水をシーズヒータ９ａにより加熱して蒸気を発生させるとともに、ミスト発生機構１０を作動させて水タンク１１の底部に設けた超音波振動子１２によりミストを発生させる。そして、蒸気発生機構９による蒸気と、超音波振動子１２により発生されたミストは混合器１６に送出される。蒸気とミストは混合器１６内で混合されて温ミストとなり、ミスト送出管１８に送り出されることとなる。このとき温ミストはイオン発生装置２３によりイオンが混入されて脱臭されるとともに、サーミスタ２４により設定された温度とされる。次いで、温ミストは分岐部１７を介して外部接続口２２に向かうものと、ミスト噴霧装置３に向かうものとに分けられる。そして、ミスト噴霧装置３に向かう温ミストは結露タンク１９ｂに供給された後、結露タンク１９ｂの接続口２０ｂより各ミスト噴霧装置３に分配されて噴霧されることとなる。また、結露タンク１９ａの接続口２０ａを介して外部接続口２２に向かう温ミストは、該外部接続口２２にミストホースを介して接続されたヘアキャップ２８に供給されることとなる。温ミストをヘアキャップに２８に供給することにより、パーマやカラーリング、トリートメント時、効率よく薬液の浸透を促進したり、毛髪に水分を浸透させることができることとなる。また、図２４に示されるように、開閉弁１８ａ、１８ｂを設けた分岐部１７ｂにより分岐する場合は、温ミストは使用状況に応じてミスト噴霧装置３と外部接続口２２とに切り換えられることとなる。
【００２１】
なお、前記好ましい実施の形態では、ミストを温ミストとしているが、蒸気を混合しないミストのみとしてもよいことは勿論である。
【００２２】
【発明の効果】
本発明は前記説明によって明らかなように、ドライヤ機構にミスト噴霧装置を組み込むことにより、パーマ時の還元アルカリによる水分を補ったり、ブローセット前に、ミストを毛髪に浸透させてブローの高温から毛髪を保護することができるので、１台のドライヤ機構により各種々のヘア処理に対応することができる。しかも、ドライヤ機構とミスト噴霧装置とは干渉しないように取り付けられているので、同時に作動させてもミストにより加熱器が冷却されて効率が低下することがない。また、請求項２のように、ミスト噴霧装置に液垂れ防止機構を設けることにより、施術中に結露水が顔や頭部に垂れて被施術者に不快感を与えることがない。請求項３のように、やや上向きに配置した噴霧ノズル部、または、噴霧ノズル部の先端内周縁に設けた環状の堰、または、噴霧ノズル部の外周に巻装したヒータ、または、噴霧ノズル部の外周に噴霧口より先端を張出させて嵌着した吸水体を設けることにより、結露水の垂れ落ちを止めたり、結露水を吸収させたり、結露水を蒸発させることができる。また、これらを適宜組み合わせることにより種々の状況下における液垂れを確実に防止することができる。請求項４のように、噴霧ノズル部先端縁を鋭角状とすることにより、噴霧ノズル部の先端に付着する結露水が大きく成長することを防止できる。請求項５のように、頭部両側方に配置される左右のドライヤ機構および頭部の後方に配置される後部のドライヤ機構にミスト噴霧装置を組み込むことにより、ドライヤ機構における液垂れの発生を防止できるうえに、送風機とミスト噴霧機構を同時に作動させることによりミスト噴霧を強くすることができる。請求項６のように、ミスト噴霧装置を噴霧角度を調整自在とすることにより、ミストの噴霧範囲を拡大できるうえに、ミストを目的の個所に確実に噴霧することができる。請求項７のように、ミスト噴霧装置の噴霧ノズル部を液受けケースに収納することにより、噴霧ノズル部が揺動するにもかかわらず液垂れを確実に防止できる。請求項８のように、ミスト発生装置を蒸気発生機構とミスト発生機構とからなるものとすることにより、ミストを温ミストをすることができるので、ヘア処理の施術に応じた温度のミストを噴霧することができる。請求項９のように、ミスト送出管を開閉弁付きの分岐部により分岐させることにより、いずれか一方に温ミストを供給するようにして温ミストの供給不足を防止することができる。請求項１０のように、ミスト送出管に結露タンクを接続することにより、結露水が噴霧されることを防止できる。請求項１１のように、各結露タンクに複数の接続口を形成することにより、各接続口に均一な温ミストを供給することができる。請求項１２のように、ヘッドをワゴン、キャスタ付きスタンドの取り付けるものとすることにより被施術者の所まで容易に移動させることができ、ヘッドを可動アームに取り付けることにより、被施術者の頭部にヘッドをより的確に配置することができる等種々の利点を有するものである。
従って、本発明は従来の問題点を解消したドライヤ装置として業界の発展に寄与するところ大なものである。
【図面の簡単な説明】
【図１】ミスト噴霧装置をドライヤ機構に組み込んだ本発明の好ましい実施の形態を示す正面図である。
【図２】ミスト噴霧装置をヘッドに取り付けた本発明の好ましい実施の形態を示す正面図である。
【図３】ミスト噴霧装置をヘッドに取り付けた本発明の好ましい実施の形態を示す側面図である。
【図４】ミスト噴霧装置を可動式とした本発明の好ましい実施の形態を示す正面図である。
【図５】ミスト噴霧装置を可動式とした本発明の好ましい実施の形態を示す側面図である。
【図６】壁に取り付けた可動アームにヘッドを取り付けた本発明の好ましい実施の形態を示す側面図である。
【図７】壁に取り付けた可動アームを下方に屈曲させた本発明の好ましい実施の形態を示す側面図である。
【図８】壁に取り付けた可動アームを上方に屈曲させた本発明の好ましい実施の形態を示す側面図である。
【図９】天井に取り付けた可動アームにヘッドを取り付けた本発明の好ましい実施の形態を示す側面図である。
【図１０】天井に取り付けた可動アームを下方に屈曲させた本発明の好ましい実施の形態を示す側面図である。
【図１１】天井に取り付けた可動アームを上方に屈曲させた本発明の好ましい実施の形態を示す側面図である。
【図１２】固定スタンドに取り付けた可動アームにヘッドを取り付けた本発明の好ましい実施の形態を示す側面図である。
【図１３】固定スタンドに取り付けた可動アームを下方に屈曲させた本発明の好ましい実施の形態を示す側面図である。
【図１４】固定スタンドに取り付けた可動アームを上方に屈曲させた本発明の好ましい実施の形態を示す側面図である。
【図１５】本発明の好ましい実施の形態に用いられるドライヤ機構を示す側面図である。
【図１６】本発明の好ましい実施の形態に用いられるドライヤ機構の断面図である。
【図１７】ミスト発生装置を組み込んだ本発明の好ましい実施の形態に用いられるドライヤ機構を示す側面図である。
【図１８】ミスト発生装置を組み込んだ本発明の好ましい実施の形態に用いられるドライヤ機構の断面図である。
【図１９】本発明の好ましい実施の形態に用いられる噴霧ノズル部にヒータを取り付けた液垂れ防止機構を示す要部の一部切欠断面図である。
【図２０】本発明の好ましい実施の形態に用いられる噴霧ノズル部に吸水体を取り付けた液垂れ防止機構を示す要部の一部切欠断面図である。
【図２１】本発明の好ましい実施の形態に用いられる可動式のミスト噴霧装置の正面図である。
【図２２】本発明の好ましい実施の形態に用いられる可動式のミスト噴霧装置の断面図である。
【図２３】本発明の好ましい実施の形態に用いられるミスト発生装置を示す概略図である。
【図２４】本発明の好ましい実施の形態に用いられるミスト発生装置の他の例を示す概略図である。
【符号の説明】
１  ヘッド
２  ドライヤ機構
３  ミスト噴霧装置
3a  噴霧ノズル部
3c  先端縁
４  加熱器
５  送風機
６  ミスト発生装置
８  液受けケース
９  蒸気発生機構
10  ミスト発生機構
17b  分岐部
18a  開閉弁
18b  開閉弁
19a  結露タンク
19b  結露タンク
20a  接続口
20b  接続口
29  液垂れ防止機構
29a  堰
29b  ヒータ
29c  吸水体
30  ワゴン
40  可動アーム
【図１】
0004342080.tif 000002
【図２】
0004342080.tif 000003
【図３】
0004342080.tif 000004
【図４】
0004342080.tif 000005
【図５】
0004342080.tif 000006
【図６】
0004342080.tif 000007
【図７】
0004342080.tif 000008
【図８】
0004342080.tif 000009
【図９】
0004342080.tif 000010
【図１０】
0004342080.tif 000011
【図１１】
0004342080.tif 000012
【図１２】
0004342080.tif 000013
【図１３】
0004342080.tif 000014
【図１４】
0004342080.tif 000015
【図１５】
0004342080.tif 000016
【図１６】
0004342080.tif 000017
【図１７】
0004342080.tif 000018
【図１８】
0004342080.tif 000019
【図１９】
0004342080.tif 000020
【図２０】
0004342080.tif 000021
【図２１】
0004342080.tif 000022
【図２２】
0004342080.tif 000023
【図２３】
0004342080.tif 000024
【図２４】
0004342080.tif 000025